(57)【要約】【課題】一画素で感度の異なる画素データを生成して記録した画像ファイルを汎用のアプリケーションでも扱うことができる画像記録装置を提供。【解決手段】ディジタルカメラ１０は、記録フォーマットとして、固体撮像素子４２で一画素を分割して異なる感度に形成された感光領域のうち、同じ感度の感光領域から得られる撮像信号を受光素子のそれぞれから読み出し、これらの撮像信号をディジタル化し、画像データを求め、システム制御部２２の記録制御機能部７０で生成される記録情報にファイル名、使用機種名、画素分割仕様の有無の情報、感度を表す情報および関連する他のファイル名を生成し、感光領域の一つに対応付けた画像ファイルのそれぞれをストレージ３２に制御し、記録する。【選択図】        図１
2004312123.tif 000002
【特許請求の範囲】
【請求項１】
被写界からの入射光を電気信号に変換する複数の受光素子が画素としてアレイ状に配設され、該受光素子のそれぞれが露出に応じて生成された電気信号を撮像信号として出力する撮像手段と、
該撮像手段によって得られる画素データの特徴に合わせた出力形式に応じて該出力形式に関連する記録情報を作成するシステム制御手段と、
該記録情報と前記撮像信号がディジタル化された画像データとを一組の画像ファイルにして記録する記録手段とを含み、
前記受光素子は、一画素において前記入射光を前記電気信号に変換する感光領域が複数に分割され、該分割した感光領域のそれぞれが前記入射光に対する感度の異なる領域により形成され、前記分割した感光領域に露出に応じて前記電気信号を生成し、前記撮像信号として読み出し、
前記システム制御手段は、前記分割した感光領域毎に得られる画像データのうち、該当する画像データを表すファイル識別情報、該装置の適用した機種情報、前記撮像手段で使用する受光素子の種類を表す情報、該ファイル識別情報が記録する画像データの感度を表す情報および該ファイル識別情報に関連した他の感光領域から得られる撮像信号に対する他のファイル識別情報を生成する記録情報生成機能ブロックを含み、前記画像ファイルのそれぞれの記録を制御することを特徴とする画像記録装置。
【請求項２】
請求項１に記載の装置において、前記システム制御手段は、前記記録情報を前記出力形式に応じて作成される画像ファイルの先頭位置に書き込み、画像の表示に応じて選択した画像ファイルに関連する他の感光領域の画像ファイルを表示させることを特徴とする画像記録装置。
【請求項３】
請求項１または２に記載の装置において、前記システム制御手段は、前記記録情報を前記画像ファイルの先頭位置に書き込み、画像の削除に応じて選択した画像ファイルと該選択した画像ファイルに関連する他の感光領域の画像ファイルを表示させ、表示した画像ファイルを個々に指定して削除することを特徴とする画像記録装置。
【発明の詳細な説明】
【０００１】
【発明の属する技術分野】
本発明は、画像記録装置に関し、とくに、一画素を複数に分割した感光領域からの画像データを記録媒体に記録する装置等に関するものである。
【０００２】
【従来の技術】
画像記録装置には、ハードディスク装置を記録媒体に用いてディジタル記録するものが市販されてきている。ハードディスク装置は、磁気テープを使用したＶＴＲ（Ｖｉｄｅｏ  Ｔａｐｅ  Ｒｅｃｏｒｄｅｒ）用テープのように容易に交換できない装置である。ハードディスク装置の容量を有効に使用するテレビ番組の記録再生装置が特開２０００−９２４４６号公報（特許文献１）に提案されている。
【０００３】
記録再生装置は、録画時にＤＣＴ（Ｄｉｓｃｒｅｔｅ  Ｃｏｓｉｎｅ  Ｔｒａｎｓｆｏｒｍ）変換を用いて圧縮する場合、映像信号を主信号と副信号とに分割して出力し、記録している。これらを組み合わせをスケーラビリティと呼ぶ。ＤＣＴ変換において主信号は低い周波数成分を中心とする信号で、副信号は高い周波数成分を中心とする信号である。記録再生装置は、記録容量が所定の容量以下になった場合、副信号を削除して記録可能な領域を確保するようにしている。
【０００４】
【特許文献１】
特開２０００−９２４４６号公報。
【０００５】
【発明が解決しようとする課題】
ところで、上述の記録再生装置は、テレビ番組という映像信号を扱う場合であったが、記録容量の確保は、この場合に限らず、静止画像の記録においても生じる問題である。画像記録装置において静止画像の記録を考えるとしたら、主信号と副信号は、ＤＣＴ変換に関する信号でなく、撮像において得られる感度の異なる画素データに対応するだろう。
【０００６】
しかしながら、主信号と副信号とで一つの画素を表す画像データを画像ファイルとして記録し、この記録した画像ファイルを画像再生装置にて扱おうとしても、画像再生装置が有する通常用いられている汎用アプリケーションは、上述した２つの信号を扱うファイル形式に対応していない。このことから、画像記録装置は、記録した画像ファイルを入力できないであろう。
【０００７】
本発明はこのような従来技術の欠点を解消し、一画素で感度の異なる画素データを生成して記録した画像ファイルを汎用のアプリケーションでも扱うことができる画像記録装置を提供することを目的とする。
【０００８】
【課題を解決するための手段】
本発明は上述の課題を解決するために、被写界からの入射光を電気信号に変換する複数の受光素子が画素としてアレイ状に配設され、この受光素子のそれぞれが露出に応じて生成された電気信号を撮像信号として出力する撮像手段と、この撮像手段によって得られる画素データの特徴に合わせた出力形式に応じて該出力形式に関連する記録情報を作成するシステム制御手段と、この記録情報と撮像信号がディジタル化された画像データとを一組の画像ファイルにして記録する記録手段とを含み、受光素子は、一画素において入射光を電気信号に変換する感光領域が複数に分割され、この分割した感光領域のそれぞれが入射光に対する感度の異なる領域により形成され、分割した感光領域に露出に応じて電気信号を生成し、撮像信号として読み出し、システム制御手段は、分割した感光領域毎に得られる画像データのうち、該当する画像データを表すファイル識別情報、この装置の適用した機種情報、撮像手段で使用する受光素子の種類を表す情報、このファイル識別情報が記録する画像データの感度を表す情報およびこのファイル識別情報に関連した他の感光領域から得られる撮像信号に対する他のファイル識別情報を生成する記録情報生成機能ブロックを含み、画像ファイルのそれぞれの記録を制御することを特徴とする。
【０００９】
本発明の画像記録装置は、撮像手段にて一画素を分割して異なる感度に形成された感光領域のうち、同じ感度の感光領域から得られる撮像信号を受光素子のそれぞれから読み出して、これらの撮像信号をディジタル化して、画像データを求め、システム制御手段の記録情報生成機能ブロックにより生成される記録情報にファイル識別情報、機種情報、受光素子の種類を表す情報、感度を表す情報および他のファイル識別情報を生成して、感光領域の一つに対応付けた画像ファイルのそれぞれを制御して、記録することにより、感度の異なる画像ファイルとして個別に記録しながら、これら関連する画像ファイルを一つの画像ファイルとしても扱うことを可能にする。
【００１０】
【発明の実施の形態】
次に添付図面を参照して本発明による画像記録装置の一実施例を詳細に説明する。
【００１１】
本実施例は、本発明の画像記録装置をディジタルカメラ１０に適用した場合である。本発明と直接関係のない部分について図示および説明を省略する。以下の説明で、信号はその現れる接続線の参照番号で指示する。
【００１２】
ディジタルカメラ１０は、図１に示すように、光学系１２、絞り調節機構１４、撮像部１６、前処理部１８、信号処理部２０、システム制御部２２、操作部２４、タイミング信号発生器２６、ドライバ２８、モニタ３０およびストレージ３２を含んでいる。
【００１３】
光学系１２は、絞り調節機構１４の他に、図示しないがメカニカルシャッタ、光学系レンズ、ズーム機構、およびオートフォーカス（ＡＦ：  Ａｕｔｏｍａｔｉｃ  Ｆｏｃｕｓ）調節機構を含む。光学系１２は、光学レンズを上述した各種の機構を調整して入射光を撮像部１６に送る機能を有している。
【００１４】
ズーム機構は、図示しないが被写界の画角を調整する。ＡＦ調節機構は、複数の光学レンズの配置を自動的に変位調節して被写体を焦点の合った位置関係に調節する機構である。機構のそれぞれには、上述した位置に光学レンズを移動させるためモータが配設されている。これらの機構は、各モータにドライバ２８からそれぞれ供給される駆動信号３４に応動して動作している。
【００１５】
絞り調節機構１４は、具体的に図示しないが入射光量を調節するＡＥ（Ａｕｔｏｍａｔｉｃ  Ｅｘｐｏｓｕｒｅ）調節機構であり、ドライバ２８からの駆動信号３６に応じてリング部を回転させる。リング部は、羽根を部分的に重ならせてアイリスの形状を丸く形成し、入射する光束を通すようにアイリスを形成する。このようにして絞り調節機構はアイリスの口径を変えている。絞り調節機構１４は、メカニカルシャッタをレンズシャッタとして光学系レンズに組み込んでもよい。
【００１６】
メカニカルシャッタは、撮像部１６に撮影のとき以外に光が照射されないように遮光するとともに、露光の開始と終了により露光時間を決める機能を有している。メカニカルシャッタには、たとえば一眼レフカメラで使用されているようなフォーカルプレン式がある。この方式は、シャッタ幕が縦または横に走り、この瞬間にできるスリットで露光を行うものである。また、上述したようにレンズシャッタ式を用いてもよい。メカニカルシャッタは、たとえば絞り調節機構１４内に設けられている場合、ドライバ２８から供給される駆動信号３６に応じてシャッタを開閉させるようにするとよい。
【００１７】
撮像部１６は、光学ローパスフィルタ３８および色フィルタ４０が入射光側に配され、色フィルタセグメントに対応して入射光を光電変換する固体撮像素子４２を備えている。また、色フィルタセグメントと固体撮像素子４２との間には、図示しないが固体撮像素子４２のそれぞれに入射する入射光束を収束させるマイクロレンズが形成されている。光学ローパスフィルタ３８は、入射光の空間周波数をナイキスト周波数以下にするフィルタである。色フィルタ４０は入射光を色フィルタセグメントが有する分光感度特性に応じた透過光を固体撮像素子４２のそれぞれに入射させて生成される信号電荷に色属性を持たせている。
【００１８】
固体撮像素子４２は、電荷結合素子（ＣＣＤ：  Ｃｈａｒｇｅ  Ｃｏｕｐｌｅｄ  Ｄｅｖｉｃｅ）で蓄積した信号電荷を垂直転送路に読み出すトランスファゲート（ＴＧ：  Ｔｒａｎｓｆｅｒ  Ｇａｔｅ）が配設されている。固体撮像素子４２にもドライバ２８から駆動信号４４が供給されている。駆動信号４４は、固体撮像素子４２の動作モードに応じた水平駆動信号、垂直駆動信号およびＯＦＤ（ＯｖｅｒＦｌｏｗ  Ｄｒａｉｎ）信号等である。撮像部１６は、固体撮像素子４２から得られたアナログ電圧信号４６を前処理部１８に出力する。固体撮像素子４２は、ＣＣＤに限定されるものでなく、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）でもよい。
【００１９】
色フィルタ４０には、たとえば３原色ＲＧＢの色フィルタセグメントが配されている。色フィルタ４０は、単板であり、色フィルタセグメントの配置パターンに応じて各色の空間周波数が決まる。配置パターンは、適切な配置を採ることによりエリアシングによるしみや偽色等の発生を抑える効果を有する。
【００２０】
前処理部１８には、アナログ回路４８およびＡ／Ｄ変換器（Ａｎａｌｏｇ−ｔｏ−Ｄｉｇｉｔａｌ  Ｃｏｎｖｅｒｔｅｒ）５０が含まれている。アナログ回路４８は、図示しないが、ノイズ除去に相関二重サンプリング（Ｃｏｒｒｅｌａｔｅｄ  Ｄｏｕｂｌｅ  Ｓａｍｐｌｉｎｇ：  ＣＤＳ）回路およびゲイン調整アンプ（ＧＣＡ：  Ｇａｉｎ−Ｃｏｎｔｒｏｌｌｅｄ  Ａｍｐｌｉｆｉｅｒ）を含む。ＣＤＳ回路には、タイミング信号発生器２６からサンプリング信号としてＣＤＳパルス５２が供給され、Ａ／Ｄ変換器５０には、変換クロック信号５４が供給されている。前処理部１８は、供給されるアナログ信号４６に対してノイズ除去、波形整形、ディジタル化を行って得られた撮像データのすべてをディジタルデータ（画像データ）５６を信号処理部２０に出力する。
【００２１】
信号処理部２０は、図示しないがメモリ制御部、メインメモリ、ディジタル処理部、圧縮伸長処理部、ＩＦ（ＩｎｔｅｒＦａｃｅ）部および表示制御部を含む。  信号処理部２０は、システム制御部２２から供給される制御信号５８に応じて制御される。メモリ制御部は、制御信号５８に応じて画像データ５６をメインメモリに対する書込み／読出しの制御やメインメモリ６２に対するリフレッシュ制御等を行う機能を有する。メインメモリには、たとえばＳＲＡＭ（Ｓｔａｔｉｃ  Ｒａｎｄｏｍ  Ａｃｃｅｓｓ  Ｍｅｍｏｒｙ）等のメモリが用いられる。
【００２２】
ディジタル処理部は、供給された画像データ５６に対して複数のディジタル処理を施す機能を有する。本実施例におけるディジタル処理部は、リニアマトリクス（ＭＴＸ：ＭａＴｒｉＸ）回路、ホワイトバランス判定回路、ゲイン補正回路、ガンマ補正回路、ＲＧＢ補間回路、ＹＣ変換回路、輪郭補正回路および色差ＭＴＸ回路を含んでいる。ディジタル処理部には、メインメモリに一時格納された画像データ５６が読み出されて、供給される。
【００２３】
リニアＭＴＸ回路は、システム制御部２２から供給される所定のリニアマトリクス係数を基に供給される画像データ５６に対するＲＧＢの色空間を変換する演算機能を有する。リニアＭＴＸ回路は、所定の色空間に変換した画像データをゲイン補正回路に出力する。また、ホワイトバランス判定回路は、供給される画像データ５６を基にホワイトバランスを調整し、調整したホワイトバランスゲインが適正か否かを判定する機能を有する。ホワイトバランス判定回路は、最適化の範囲内にあるか否かを判定し、範囲内にあるホワイトバランスゲインをゲイン補正回路に出力する。
【００２４】
ゲイン補正回路は、供給される画像データに対して供給されるホワイトバランスゲインに基づいてゲインを補正し、ホワイトバランス調整を行う。ゲイン補正回路は、ガンマ補正回路に出力する。ガンマ補正回路は、非直線性の特性に合わせる補正機能である。ガンマ補正回路は、たとえばガンマ補正用のルックアップテーブルを含む。ガンマ補正回路は、メインメモリから供給される画像データをルックアップテーブルのデータを用いて変換し、ガンマ補正する。ガンマ補正回路は補正した画像データをＲＧＢ補間回路に送る。
【００２５】
ＲＧＢ補間回路は、赤色（Ｒ），  緑色（Ｇ）および  青色（Ｂ）の３種類の色フィルタセグメントによるパターンに応じて供給される画像データに対して各画素の位置にて欠如している色属性の画素データを補間により生成する同時化機能を有している。ＲＧＢ補間回路は、色のパターンおよび分光感度特性も考慮に入れて補間係数を設定することが好ましい。ＲＧＢ補間回路は、ＲＧＢの三原色の画素データをＹＣ変換回路に送る。ＹＣ変換回路は、供給される三原色ＲＧＢの画素データを基に輝度信号（Ｙ）と画素データを３刺激値として用いて色信号（Ｃ）とを生成する機能を有する。ＹＣ変換回路は、生成した輝度信号を輪郭補正回路および色差ＭＴＸ回路に出力し、色信号を色差ＭＴＸ回路に出力する。
【００２６】
輪郭補正回路は、供給される輝度信号に含まれる画像中のエッジ部分を強調するアパーチャ補正機能を有する。輪郭補正回路は、輪郭の補正された輝度信号を圧縮伸長処理回路に出力する。色差ＭＴＸ回路は、供給される輝度信号と色信号とを基に演算して色差信号を圧縮伸長処理回路に出力する。この一連の処理は通常の圧縮記録モードの場合に行われる処理である。
【００２７】
ところで、画像データ５６は、生の画像データを記録するＲＡＷモードの場合、ＲＡＷモードに対応してＩＦ部を介してストレージ３２に供給される。信号線１１０の前段には、図示しないモード選択回路が配設されている。モード選択回路は、通常の圧縮記録モードで圧縮処理の施された輝度信号および色差信号と、ＲＡＷモードで生の画像データ５６とが供給され、ディジタルカメラ１０がたとえば操作部２４でどのモードを採るかの選択に応じてストレージ３２への画像データが選択される。
【００２８】
ＩＦ部には、選択に応じたヘッダ情報および画像データが供給される。ＩＦ部は、供給される各種のデータの入出力にともなう電気的なレベル変換だけでなく、書込み／読出しも制御する機能を有する。書込み／読出し制御は、システム制御部２２から供給される制御信号５８に応じて行われる。このことからわかるように、ＩＦ部は、ストレージ３２に供給されるデータの書込みとストレージからの読出しを管理している。
【００２９】
圧縮伸長処理部は、静止画や動画（ムービ）モードにおいて供給される画像データ（Ｙ／Ｃ）や色差データ等にＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）やＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）−１，  ＭＰＥＧ−２等の規格でそれぞれ、圧縮処理を施す。圧縮伸長処理部６６は、圧縮処理した画像データをＩＦ部に供給する。ＩＦ部は、ストレージ３２のカード記録媒体との書込み／読出しにおける電気的な特性の調整および書込み／読出し制御を行うだけでなく、タイミング調整機能も有し、処理された画像データをストレージ３２に出力している。また、圧縮伸長処理部は、ストレージ部３２に記録した画像データを読み出し、ＩＦ部を介して供給される画像データに伸長処理を施す。この伸長処理は、圧縮処理の逆処理である。
【００３０】
表示制御部は、ディジタル処理部で生成した画像データや再生にともなってストレージ３２から読み出した画像データに伸長処理して得られた画像データ等に対してＲＧＢ変換を行い、このＲＧＢ変換した画像データをモニタ３０が表示可能な画素サイズにする機能を有している。表示制御部は、供給される制御信号５８に応じて動作する。画像表示におけるサイズは、間引き処理によって破綻のない画像を生成する。表示制御部は、生成した画像データをモニタ３０に供給する。
【００３１】
なお、信号処理部２０は、図示しないが評価値算出部を含めてもよい。評価値算出部は、ＡＥ、ＡＦ、シャッタ速度、ＡＷＢ（Ａｕｔｏｍａｔｉｃ  Ｗｈｉｔｅ  Ｂａｌａｎｃｅ）および階調補正に用いる積算値を算出する演算機能等を備える。評価値算出部は、たとえばバス６０を介して算出された積算値をパラメータとしてシステム制御部２２に供給する。また、信号処理部２０には、タイミング信号発生器２６から図示しないタイミング信号が供給されている。このタイミング信号は、水平同期信号ＨＤ、垂直同期信号ＶＤや各部の動作クロック等を含んでいる。
【００３２】
システム制御部２２は、カメラ全体の汎用な部分やディジタル処理を行う部分を制御するマイクロコンピュータまたはＣＰＵ（Ｃｅｎｔｒａｌ  Ｐｒｏｃｅｓｓｉｎｇ  Ｕｎｉｔ）である。システム制御部２２は、図示しないが、シーン判別や所定の係数を格納するＥＥＰＲＯＭや動作手順の指示プログラムを格納するＲＯＭ（Ｒｅａｄ  Ｏｎｌｙ  Ｍｅｍｏｒｙ）等を含んでいる。システム制御部２２は、たとえば供給される積算値とあらかじめ設定した所定の積算値とを比較し、この比較結果に応じて制御信号６２，  ６４をそれぞれ、生成してタイミング信号発生器２６およびドライバ２８に出力する。
【００３３】
システム制御部２２は、操作部２４から供給されるモードや操作のトリガを指示する指示信号６６を受けて、指示信号６６に応じてディジタルカメラ１０を静止画撮影モード、動画撮影モード、低感度モードおよび高感度モード等に設定し、レリーズシャッタボタン６８から撮像タイミングの報知を受けて、積算値に応じた制御信号５８，  ６２，  ６４をそれぞれ、生成する。
【００３４】
また、システム制御部２２は、制御信号５８で信号処理部２０を制御するだけでなく、たとえばモードに応じたヘッダ情報の生成や記録する画像データの供給を制御する記録制御機能部７０を有している。記録制御機能部７０は、図２に示すように、ＲＡＷモードにおける画像ファイルの記録フォーマット７２に対応したヘッダ情報領域７４および画像データ領域７６を生成する。システム制御部２２は、通常の圧縮モードの場合も、高感度感光領域と低感度領域とから得られた画像データを互いに関連する画像データとする２つの画像ファイルにヘッダ情報領域７４のヘッダ情報を生成して、記録する。
【００３５】
ヘッダ情報領域７４には、画像ファイルを特定する名称のファイル名を記録する情報領域７８、撮影した日時を記録する情報領域８０、撮影に使用した機種名を記録する情報領域８２、撮影時におけるＩＳＯ（Ｉｎｔｅｒｎａｔｉｏｎａｌ  Ｓｔａｎｄａｒｄｉｚａｔｉｏｎ  Ｏｒｇａｎｉｚａｔｉｏｎ）感度を記録する情報領域８４、撮影時のシャッタ速度を記録する情報領域８６、一画素を複数に分割した仕様の有無を記録する情報領域８８、記録する画像データが分割仕様における高感度および低感度のいずれであるかを示す情報領域９０、情報領域９０に対する他の感度による画像データが記録された画像ファイル名を関連ファイル名として記録する情報領域９２およびこの画像ファイルが記録する画像データのサムネイル画像を記録したアドレスを示す情報領域９４が含まれる。ヘッダ情報領域７４の内、本実施例における３つの情報領域８８、９０および９２は、画素が有する特徴をそれぞれ表す情報である。これらの情報領域８８、９０および９２は、後述するように、画像の生成処理や削除処理における扱いが汎用のアプリケーションソフトウェアを用いても、破綻なく、処理が行えるように寄与することを可能にする。生成したヘッダ情報は、バス６０、信号処理部２０を介して画像データ５６とともに、ストレージ３２に供給される。
【００３６】
操作部２４は、レリーズシャッタボタン６８、電源ボタン９６、モード設定スイッチ９８、ファイル選択ボタン１００およびファイル削除ボタン１０２を含んでいる。レリーズシャッタボタン６８は、２段階のストロークを有するボタンで、第１段のストロークでディジタルカメラ１０を予備撮像の段階（Ｓ１）にし、第２段のストロークで本撮像の段階（Ｓ２）にするトリガタイミングを指示信号６６としてシステム制御部２２に出力する。
【００３７】
電源ボタン９６は、ディジタルカメラ１０の回路への電源の供給／遮断を切り換えるスイッチである。モード設定スイッチ９８は、静止画撮影モードおよび動画撮影モード、ならびに低感度モード、高感度モードおよび広ダイナミックレンジモード等のようにいくつかあるモードのうち、いずれのモードにするか選択を行う。モード設定スイッチ９８は、選択したモードを指示信号６６としてシステム制御部２２に出力する。
【００３８】
ファイル選択ボタン１００は、すでに撮影し、記録している画像ファイルをモニタ３０に表示させ、ユーザが所望の画像ファイルを表示中の画像ファイルから選ぶボタンである。また、ファイル削除ボタン１０２は、すでに撮影し、記録している画像ファイルをモニタ３０に表示させ、表示中の画像ファイルから削除する画像ファイルを選ぶボタンである。
【００３９】
これらの選択は、モニタ３０に表示される条件を十字ボタンのような一つのスイッチを用いて行うようにすると、筐体に配設するボタンの数を抑えることができる。操作部２４には、この他、ズーム選択スイッチ等を設けてもよい。
【００４０】
タイミング信号発生器２６は、タイミング信号の動作周波数を生成する発振器（ＳＧ：  Ｓｉｇｎａｌ  Ｇｅｎｅｒａｔｏｒ）を含む。ＳＧは、制御信号６２に応じて発振周波数を変える機能を有している。ＳＧは、たとえばとくに水平転送信号の生成において通常に使用する第１周波数とこの周波数の半分程度に低下させた第２周波数を発振するとよい。
【００４１】
また、タイミング信号発生器２６は、基準とするクロック信号（図示せず）を基に各種のタイミング信号を生成する。タイミング信号には、水平転送信号の他、垂直同期信号、水平同期信号、フィールドシフトパルス、垂直転送信号、および電子シャッタパルス等がある。また、タイミング信号発生器２４は、ＣＤＳパルス５２および変換クロック信号５４も生成して前処理部１８に供給している。タイミング信号発生器２６は、これら生成した垂直同期信号、水平同期信号、フィールドシフトパルス、垂直転送信号、水平転送信号および電子シャッタパルスを含むタイミング信号１０４をドライバ２８に供給している。
【００４２】
ドライバ２８は、供給されるタイミング信号１０４や制御信号６４を基に駆動信号３４，  ３６，  ４４を生成する駆動回路を有している。ドライバ２８は、制御信号６４を基に駆動信号３４，  ３６を光学系１２の光学レンズおよび絞り調節機構１４にそれぞれ供給してＡＦ調節やＡＥ調節を行わせる。ドライバ２８は、操作部２４のレリーズシャッタボタン６８から供給される本撮像のタイミングに応動してメカニカルシャッタの開閉を行う駆動信号３６を絞り調節機構１４に設けたメカニカルシャッタに出力する。
【００４３】
また、ドライバ２８は、タイミング信号１０４を基に生成した駆動信号４４を撮像部１６の固体撮像素子４２に供給し、各受光素子の感光領域に信号電荷を露光期間中に蓄積させ、蓄積した信号電荷を前述した条件に応じた制御により読み出す。ＣＣＤの場合、撮像部１６は、この信号電荷を垂直転送レジスタに読み出して、水平転送レジスタに転送させ、さらに水平転送レジスタ、出力アンプを経てアナログ電圧信号４６を出力している。
【００４４】
モニタ３０は、信号処理部２０内の表示制御部を経て供給される画像データを表示する。モニタ３０には、一般的に液晶モニタが用いられる。液晶モニタには、液晶表示コントローラが配設されている。液晶コントローラは、画像データを基に液晶分子の並び方や電圧の印加によりスイッチング制御している。この制御により液晶モニタは、画像を表示する。モニタ３０は、液晶モニタに限定されず、小型、画像の確認および電力の消費が抑えられる表示機器であれば、十分に用いることができることは言うまでもない。
【００４５】
ストレージ３２は、半導体メモリ等を記録媒体として用いて、信号処理部２０から圧縮を含むディジタル処理された、通常モードの画像データおよび何もディジタル処理の施されない、ＲＡＷモードの画像データのいずれかと、ヘッダ情報とが一つの画像ファイルとして記録する。記録媒体には、光ディスクや光磁気ディスク等を用いてもよい。ストレージ３２は、各記録媒体に適したピックアップやピックアップと磁気ヘッドを組み合わせて記録再生用ヘッドを用いてデータの書込み／読出しを行う。データの書込み／読出しは、システム制御部２２の制御信号５８に応じて行われる。
【００４６】
このようにディジタルカメラ１０は、撮影した画像を選択したモードに応じた画像ファイルにしてストレージ３２に記録することにより、一画素から複数の画素データが得られるＣＣＤを用いても、この画素の特徴を考慮して記録した情報を有効に利用して、汎用のアプリケーションソフトウェアによる画像再生を可能にしている。
【００４７】
次にディジタルカメラ１０の動作を図３を用いて簡単に説明する。ここで、ディジタルカメラ１０は、撮像部１６の固体撮像素子４２に一つの画素を２分割し、一方の分割された感光領域を高感度領域と、他方の分割された感光領域を低感度領域とに分けられているＣＣＤを用いている。電源ボタン９６を押して電源を投入する。電源投入に応じてディジタルカメラ１０は、初期設定を行う。初期設定後、ディジタルカメラ１０は、モード選択を行う（ステップＳ１０）。選択したモードが広ダイナミックレンジでのＲＡＷ撮影モードが選択された場合、ディジタルカメラ１０は動画モードで被写界を撮像しながら、焦点の調節を行う手順に進む（ステップＳ１２へ）。また、表示モードが選択された場合、記録している画像ファイルをモニタ３０に表示する手順に進む（ステップＳ１４へ）。
【００４８】
焦点の調節は、取り込んだ画像を基に焦点が合う最良の位置をたとえば山登り法等により探索し、システム制御部２２からの制御信号６４をドライバ２８に供給し、生成された駆動信号３４により光学系１２のレンズを移動させて行う。ディジタルカメラ１０は、レリーズシャッタボタン６８がＳ２の段階まで押されたか否かの判断に進む（ステップＳ１６へ）。
【００４９】
Ｓ２段階まで押圧操作されたか否かを判断する（ステップＳ１６）。撮像タイミングがシステム制御部２２に供給されたとき（ＹＥＳ）、システム制御部２２は制御信号６４をドライバ２８に送り、ドライバ２８は絞り調節機構１４に絞り値およびメカニカルシャッタのシャッタ速度を調節する駆動信号３６を送って駆動させる。ドライバ２８は、駆動信号４４を固体撮像素子４２に供給して、光学系１２を経て入射する光を固体撮像素子４２で露出を行う。撮像タイミングが供給されないとき（ＮＯ）、電源をオフにするか否かを判断する手順に移行する（ステップＳ１８へ）。
【００５０】
露出の完了後、撮像部１６の高感度感光領域に蓄積した信号電荷を読み出す（ステップＳ２０）。ドライバ２８はこの読出しを駆動信号４４に応じて行う。撮像部１６は、図４に示すように、高感度感光領域１０６からの画素データを画像データ５６として信号処理部２０に供給し、メモリに一時保存する。
【００５１】
次に画像ファイルの生成を行う（ステップＳ２２）。画像ファイルの生成において、システム制御部２２の記録制御機能部７０でヘッダ情報を生成し、信号処理部２０のＩＦ部に供給する。ＩＦ部は、制御信号５８によりヘッダ情報を含むヘッダ１０８と一時保存していた生の高感度な画像データ１１０とを画像ファイル１１２としてストレージ３２に記録する。ヘッダ情報の関連する画像ファイル名は、広ダイナミックレンジの記録を行うことがあらかじめわかっているので、低感度な画像データを有する画像ファイル名を作成して、記録する。ヘッダ情報には、使用機種名、画素分割の有および高感度であることを示す情報を記録する。
【００５２】
次に低感度感光領域に蓄積した信号電荷を読み出す（ステップＳ２４）。ドライバ２８はこの読出しを駆動信号４４に応じて行う。撮像部１６は、図４に示すように、低感度感光領域１１４からの画素データを画像データ５６として信号処理部２０に供給し、メモリに一時保存する。この場合、メモリは、２つ用意して、高感度感光領域１０６の画像データ１１０と低感度感光領域１１４の画像データとを別々のメモリにそれぞれ分けて記憶させるようにしてもよい。
【００５３】
次に画像ファイルの生成を行う（ステップＳ２６）。画像ファイルの生成において、システム制御部２２の記録制御機能部７０でヘッダ情報を生成し、信号処理部２０のＩＦ部に供給する。ＩＦ部は、制御信号５８によりヘッダ１１６と一時保存していた生の低感度な画像データ１１８とを画像ファイル１２０としてストレージ３２に記録する。ヘッダ情報の画像ファイル名は、すでに記録した生の高感度な画像ファイル１１２で使用した関連する他の画像ファイル名（生の低感度な画像ファイル名）である。これに対して、ここでの関連する他の画像ファイル名には、生の高感度な画像ファイル名を記録する。ヘッダ情報には、使用機種名、画素分割の有および低感度であることを示す情報を記録する。
【００５４】
次に電源オフか否かを判断する（ステップＳ１８）。所定の時間後、電源ボタン９６がオフ状態にされなかった場合（ＮＯ）、モードの選択に戻り（ステップＳ１０）、これ以降の動作を繰り返す。
【００５５】
なお、画素分割された固体撮像素子を用いて撮影された場合の画像ファイルの記録は、ＲＡＷモードに限定されるものでなく、通常の圧縮記録モードでも、感度の種類に応じて個々に画像ファイルを生成し、ストレージ３２に記録する。また、画素分割していない通常の固体撮像素子を用いて撮影された場合、図４に示すように、ヘッダおよび画像データを含む画像ファイルとして記録されることは言うまでもない。
【００５６】
一方、先のモード選択にて表示モードが選択された場合、すでにストレージ３２に記録されている画像ファイルを一覧表示する（ステップＳ１４）。この一覧表示においてサムネイル画像を表示するようにしてもよい。本実施例では、広ダイナミックレンジ対応を含む表示モードとする。
【００５７】
次にディジタルカメラ１０では、表示を所望の画像ファイルの選択を行うか否かを判断する（ステップＳ２８）。画像ファイルを選択する場合（ＹＥＳ）、画像ファイルの選択処理に進む（ステップＳ３０へ）。また、画像ファイルを選択しない場合（ＮＯ）、画像ファイルの削除を行うか否かの判断に進む（ステップＳ３２へ）。
【００５８】
ステップＳ３０にて一覧表示されている画像ファイルの中から表示させる画像ファイルをファイル選択ボタン１００で選択する（ステップＳ３０）。選択された画像ファイルをストレージ３２から読み出して、読み出した画像ファイルに対して信号処理を施してモニタ３０に表示する（ステップＳ３４）。画素分割されていない画像ファイルが選択されると、図４（ａ）に示すように、汎用のアプリケーションソフトウェアを用いて画像１２２を表示させることができる。
【００５９】
また、本実施例のように、たとえばＲＡＷモードで、高感度な画像データの画像ファイルと低感度な画像データの画像ファイルとのいずれかが選択されると、選択された画像ファイルを汎用のアプリケーションソフトウェアで取り扱うことができ、画像１２２として表示させることができる。
【００６０】
さらに、専用のアプリケーションソフトウェアを用いて広ダイナミックレンジ対応表示を行うとき、一方の画像ファイルを選択するだけで互いに他方の関連する画像ファイルを読み出すことができ、これら高感度な画像データ１１０と低感度な画像データ１１８とを合成して、広ダイナミックレンジな画像１２４を表示させることができる。
【００６１】
これに対する比較例として、高感度感光領域１０６および低感度感光領域１１４に分割された画素を一画素として扱う場合、ヘッダ１２６と画像データ１２８とで画像ファイル１３０が生成される。このとき、高感度領域の画素データ１３２と低感度の画素データ１３４とが一画素に対応して扱われ、記録されている。このような画像ファイル１３０を読み出して、汎用のアプリケーションソフトウェアを用いて画像１２２を表示させようとしても一画素に複数の画素データが供給されるフォーマットに汎用のアプリケーションソフトウェアが対応できないので、入力できない。したがって、ディジタルカメラ１０は、画像１２２のように表示できない。
【００６２】
ただし、広ダイナミックレンジ対応表示の専用アプリケーションソフトウェアを用いると、画像１３６を表示することができる。
【００６３】
本実施例のように画素分割された固体撮像素子を用いても、記録フォーマットを考慮して別な画像ファイルとして記録することにより、再生表示に際して汎用のアプリケーションソフトウェアで取り扱うことができる。
【００６４】
次に画像ファイルの削除を行うか否かを判断する（ステップＳ３２）。削除処理を行う場合、画像ファイルを表示し、指定する処理に進む（ステップＳ３６へ）。また、削除処理を行わない場合（ＮＯ）、電源オフか否かの判断に進む（ステップＳ１８へ）。
【００６５】
画像ファイルを表示後、削除する画像ファイルを指定する（ステップＳ３６）。画素分割された画像ファイルは、生の高感度な画像ファイルと生の低感度な画像ファイルの両方が表示されるから、一方の画像ファイルだけを選択することができる。たとえば、記録容量が所定の容量以下になった際に、画像ファイルの記録を残しながら、記録容量を確保する上で有効である。
【００６６】
次に指定された画像ファイルを削除する（ステップＳ３８）。上述したように、指定した画像ファイルの一方を削除することができる。この場合、システム制御部２２の記録制御機能部７０は、残す生の画像ファイルのヘッダの情報領域９２に記録する関連した画像ファイルが「ない」ことを記録するとよい。
【００６７】
比較例の場合、図５（ｂ）に示した画像ファイル１３０における削除は、単に、画像ファイル１３０の情報すべてを削除してしまう。所望の画像ファイルを削除する場合、本実施例では、削除する２つの画像ファイルを指定して削除すればよく、ファイル削減における煩雑な作業も容易にしてくれる。
【００６８】
次に電源オフにするか否かを判断する（ステップＳ１８）。所定の時間後、電源ボタン９６がオフ状態にされなかった場合（ＮＯ）、モードの選択に戻り（ステップＳ１０）、これ以降の動作を繰り返す。電源オフにされた場合（ＹＥＳ）、ディジタルカメラ１０は、処理をすべて終了する。
【００６９】
このように記録して再生させることにより、画素分割された固体撮像素子４２から得られた画像ファイルであっても、汎用のアプリケーションソフトウェアに入力して表示させることができ、ファイル削減において一方の感度に対応した画像ファイルだけを容易な作業によって削除して記録容量の増加に寄与させることもできる。
【００７０】
以上のように構成することにより、記録フォーマットとして、固体撮像素子４２にて一画素を分割した異なる感度に形成された感光領域のうち、同じ感度の感光領域から得られる撮像信号を受光素子のそれぞれから読み出して、これらの撮像信号をディジタル化して、画像データを求め、システム制御部２２の記録制御機能部７０により生成される記録情報にファイル名、使用機種名、画素分割仕様の有無のような受光素子の種類を表す情報、感度を表す情報および関連する他のファイル名を生成して、感光領域の一つに対応付けた画像ファイルのそれぞれをストレージ３２に制御して、記録することにより、感度の異なる画像ファイルとして個別に記録しながら、これら関連する画像ファイルを一つの画像ファイルとしても扱うことを可能にして表示処理を容易にする。これにより、一画素を分割した受光素子から得られる画像ファイルでありながら、汎用のアプリケーションソフトウェアで扱うことを可能にし、ファイル削除も容易にして記録容量の確保にも寄与することができる。
【００７１】
【発明の効果】
このように本発明の画像記録装置によれば、撮像手段にて一画素を分割した異なる感度に形成された感光領域のうち、同じ感度の感光領域から得られる撮像信号を受光素子のそれぞれから読み出して、これらの撮像信号をディジタル化して、画像データを求め、システム制御手段の記録情報生成機能ブロックにより生成される記録情報にファイル識別情報、機種情報、受光素子の種類を表す情報、感度を表す情報および関連する他のファイル識別情報を生成して、感光領域の一つに対応付けた画像ファイルのそれぞれを制御して、記録し、感度の異なる画像ファイルとして個別に記録しながら、これら関連する画像ファイルを一つの画像ファイルとしても扱うことを可能にして、表示処理を容易にすることにより、一画素を分割した受光素子から得られる画像ファイルでありながら、汎用のアプリケーションソフトウェアで扱うことを可能にし、ファイル削除も容易にして記録容量の確保にも寄与することができる。
【図面の簡単な説明】
【図１】本発明の画像記録装置を適用したディジタルカメラの概略的な構成を示すブロック図である。
【図２】図１のディジタルカメラが適用する記録フォーマットを説明する図である。
【図３】図１のディジタルカメラの動作手順を説明するフローチャートである。
【図４】図３の記録にともない再生および削除における画像ファイルの扱いをそれぞれ説明する図である。
【図５】図３の記録に対する比較例における再生および削除における画像ファイルの扱いをそれぞれ説明する図である。
【符号の説明】
１０  ディジタルカメラ
１２  光学系
１４  絞り調節機構
１６  撮像部
１８  前処理部
２０  信号処理部
２２  システム制御部
２４  操作部
２６  タイミング信号発生器
２８  ドライバ
３０  モニタ
３２  ストレージ
７０  記録制御機能部
【図１】
2004312123.tif 000003
【図２】
2004312123.tif 000004
【図３】
2004312123.tif 000005
【図４】
2004312123.tif 000006
【図５】
2004312123.tif 000007